(57)【要約】【課題】  チャットルームでコンテンツ作成者をピックすることができる方法、システム、および非一時的なコンピュータ読み取り可能な記録媒体を提供する。【解決手段】  チャットルームでコンテンツ作成者をピックすることができる方法は、チャットルームに含まれた会話相手のうち、ユーザによって特定された少なくとも１人のコンテンツ作成者をピック（ｐｉｃｋ）する段階、およびチャットルームに含まれたメッセージのうち、ピックされたコンテンツ作成者のメッセージを検索するインタフェースを提供する段階を含む。【選択図】      図４
2020198101.tif 000002
【特許請求の範囲】
【請求項１】
コンピュータシステムが実行する方法であって、
前記コンピュータシステムは、メモリに含まれるコンピュータ読み取り可能な命令を実行するように構成された少なくとも１つのプロセッサを含み、
前記方法は、
前記少なくとも１つのプロセッサにより、チャットルームに含まれた会話相手のうち、前記コンピュータシステムのユーザによって特定された少なくとも１人のコンテンツ作成者をピック（ｐｉｃｋ）する段階、および
前記少なくとも１つのプロセッサにより、前記チャットルームに含まれたメッセージのうち、前記コンテンツ作成者のメッセージを検索するインタフェースを提供する段階
を含む、方法。
【請求項２】
前記提供する段階は、
前記コンテンツ作成者のうちから少なくとも１人の特定のコンテンツ作成者が選択されると、選択された特定のコンテンツ作成者のメッセージを、前記チャットルーム内において他のメッセージと区別して表示する段階
を含む、請求項１に記載の方法。
【請求項３】
前記提供する段階は、
前記チャットルームにおける前記ユーザの要求にしたがい、前記チャットルームの画面上に前記ユーザがピックしたコンテンツ作成者リストを表示する段階
を含む、請求項１に記載の方法。
【請求項４】
前記提供する段階は、
前記ユーザの要求にしたがい、前記チャットルームの画面内において以前または以後のメッセージ位置にジャンプして移動しながら、前記選択された特定のコンテンツ作成者のメッセージを表示する段階
をさらに含む、請求項２に記載の方法。
【請求項５】
前記ピックする段階は、
前記チャットルームにおいて、会話相手プロフィールまたは会話相手リストを利用して特定のコンテンツ作成者をピックすることのできるインタフェースを提供する段階
を含む、請求項１に記載の方法。
【請求項６】
前記インタフェースを提供する段階は、
各コンテンツ作成者に対し、他のユーザによってピックされた回数を前記インタフェースとともに提供する、
請求項５に記載の方法。
【請求項７】
前記方法は、
前記少なくとも１つのプロセッサにより、前記チャットルームに対するメッセージ受信通知を設定するインタフェースとともに、前記コンテンツ作成者に対するメッセージ受信通知を設定するインタフェースを提供する段階
をさらに含む、請求項１に記載の方法。
【請求項８】
前記方法は、
前記コンテンツ作成者のメッセージが受信される場合、前記チャットルームに対するメッセージ受信通知がオフ（ｏｆｆ）状態に設定されている場合でも、前記受信されたメッセージに対しては通知を提供する、
請求項１に記載の方法。
【請求項９】
前記方法は、
前記少なくとも１つのプロセッサにより、前記チャットルームに受信されたメッセージのうち、前記コンテンツ作成者のメッセージをアーカイビング（ａｒｃｈｉｖｉｎｇ）し、前記ユーザからの要求時に、前記アーカイビングされたメッセージを個別のページで提供する段階
をさらに含む、請求項１に記載の方法。
【請求項１０】
前記方法は、
前記少なくとも１つのプロセッサにより、前記コンテンツ作成者が含まれるか前記コンテンツ作成者が管理している他のチャットルームを勧める段階
をさらに含む、請求項１に記載の方法。
【請求項１１】
前記方法は、
前記少なくとも１つのプロセッサにより、前記ユーザが含まれたチャットルームにおいて、他のユーザによって一定の回数以上がピックされた他のコンテンツ作成者を勧める段階
をさらに含む、請求項１に記載の方法。
【請求項１２】
請求項１〜１１のうちのいずれか一項に記載の方法を前記コンピュータシステムに実行させる、コンピュータプログラム。
【請求項１３】
コンピュータシステムであって、
メモリに含まれるコンピュータ読み取り可能な命令を実行するように構成された少なくとも１つのプロセッサ
を含み、
前記少なくとも１つのプロセッサは、
チャットルームに含まれた会話相手のうち、前記コンピュータシステムのユーザによって特定された少なくとも１人のコンテンツ作成者をピックするコンテンツ作成者選択部、および
前記チャットルームに含まれたメッセージのうち、前記コンテンツ作成者のメッセージを検索するインタフェースを提供するメッセージ提供部
を含む、コンピュータシステム。
【請求項１４】
前記メッセージ提供部は、
前記チャットルームにおける前記ユーザの要求にしたがい、前記チャットルームの画面上に前記ユーザがピックしたコンテンツ作成者リストを表示し、
前記コンテンツ作成者リストから少なくとも１人の特定のコンテンツ作成者が選択されると、選択された特定のコンテンツ作成者のメッセージを、前記チャットルーム内で他のメッセージと区別して表示する、
請求項１３に記載のコンピュータシステム。
【請求項１５】
前記メッセージ提供部は、
前記ユーザの要求にしたがい、前記チャットルームの画面内において以前または以後のメッセージ位置にジャンプして移動しながら、前記選択された特定のコンテンツ作成者のメッセージを表示する、
請求項１４に記載のコンピュータシステム。
【請求項１６】
前記コンテンツ作成者選択部は、
前記チャットルームにおいて、会話相手プロフィールまたは会話相手リストを利用して特定のコンテンツ作成者をピックすることのできるインタフェースを提供する、
請求項１３に記載のコンピュータシステム。
【請求項１７】
前記コンテンツ作成者選択部は、
各コンテンツ作成者に対し、他のユーザによってピックされた回数を前記インタフェースとともに提供する、
請求項１６に記載のコンピュータシステム。
【請求項１８】
前記メッセージ提供部は、
前記チャットルームに対するメッセージ受信通知を設定するインタフェースとともに、前記コンテンツ作成者に対するメッセージ受信通知を設定するインタフェースを提供する、
請求項１３に記載のコンピュータシステム。
【請求項１９】
前記メッセージ提供部は、
前記チャットルームに受信されたメッセージのうち、前記コンテンツ作成者のメッセージをアーカイビングし、前記ユーザからの要求時に、前記アーカイビングされたメッセージを個別のページで提供する、
請求項１３に記載のコンピュータシステム。
【請求項２０】
前記少なくとも１つのプロセッサは、
前記コンテンツ作成者が含まれるか前記コンテンツ作成者が管理している他のチャットルーム、または前記ユーザが含まれたチャットルームにおいて他のユーザによって一定の回数以上がピックされた他のコンテンツ作成者を勧める推薦部
をさらに備える、請求項１３に記載のコンピュータシステム。
【発明の詳細な説明】
【技術分野】
【０００１】
以下の説明は、チャットルーム内のメッセージを管理する技術に関する。
【背景技術】
【０００２】
一般的なコミュニケーションツールであるインスタントメッセンジャー（ｉｎｓｔａｎｔ  ｍｅｓｓｅｎｇｅｒ）は、メッセージやデータをリアルタイムで送受信することのできるソフトウェアであって、ユーザがメッセンジャー上に会話相手を登録すると、会話リストに登録された相手とリアルタイムでメッセージをやり取りすることができる。
【０００３】
このようなメッセンジャー機能は、ＰＣはもちろん、移動通信端末のモバイル環境でもその使用が普遍化している。
【０００４】
例えば、特許文献１（公開日２００２年０９月３０日）には、携帯端末機にインストールされたモバイルメッセンジャー間でメッセンジャーサービスを提供することができるようにした、無線通信網を利用した携帯端末機のモバイルメッセンジャーサービスシステムおよび方法が開示されている。
【０００５】
インスタントメッセンジャーの利用の大衆化に伴ってインスタントメッセンジャーが提供する機能はますます多様化しており、電話番号やＩＤなどを用いることで、友だちではないユーザともリンクを介して交流することのできるオープンチャット（ｏｐｅｎ  ｃｈａｔｔｉｎｇ）の利用が可能となった。
【先行技術文献】
【特許文献】
【０００６】
【特許文献１】韓国公開特許第１０−２００２−００７４３０４号公報
【発明の概要】
【発明が解決しようとする課題】
【０００７】
本発明の実施形態は、チャットルームでコンテンツ作成者をピックすることのできる方法およびシステムを提供する。
【課題を解決するための手段】
【０００８】
コンピュータシステムが実行する方法であって、前記コンピュータシステムは、メモリに含まれるコンピュータ読み取り可能な命令を実行するように構成された少なくとも１つのプロセッサを含み、前記方法は、前記少なくとも１つのプロセッサにより、チャットルームに含まれた会話相手のうち、前記コンピュータシステムのユーザによって特定された少なくとも１人のコンテンツ作成者をピック（ｐｉｃｋ）する段階、および前記少なくとも１つのプロセッサにより、前記チャットルームに含まれたメッセージのうち、前記コンテンツ作成者のメッセージを検索するインタフェースを提供する段階を含む方法を提供する。
【０００９】
一側面によると、前記提供する段階は、前記コンテンツ作成者のうちから少なくとも１人の特定のコンテンツ作成者が選択されると、選択された特定のコンテンツ作成者のメッセージを、前記チャットルーム内で他のメッセージと区別して表示する段階を含んでよい。
【００１０】
他の側面によると、前記提供する段階は、前記チャットルームにおける前記ユーザの要求にしたがい、前記ユーザがピックしたコンテンツ作成者リストを前記チャットルームの画面上に表示する段階を含んでよい。
【００１１】
また他の側面によると、前記提供する段階は、前記ユーザの要求にしたがい、前記チャットルームの画面内において、以前または以後のメッセージ位置にジャンプして移動しながら、前記選択された特定のコンテンツ作成者のメッセージを表示する段階をさらに含んでよい。
【００１２】
また他の側面によると、前記ピックする段階は、前記チャットルームにおいて、会話相手のプロフィールまたは会話相手リストを利用して特定のコンテンツ作成者をピックすることができるインタフェースを提供する段階を含んでよい。
【００１３】
また他の側面によると、前記インタフェースを提供する段階は、各コンテンツ作成者が他のユーザによってピックされた回数を、前記インタフェースとともに提供してよい。
【００１４】
また他の側面によると、前記方法は、前記少なくとも１つのプロセッサにより、前記チャットルームに対するメッセージ受信通知を設定するインタフェースとともに、前記コンテンツ作成者に対するメッセージ受信通知を設定するインタフェースを提供する段階をさらに含んでよい。
【００１５】
また他の側面によると、前記方法は、前記コンテンツ作成者のメッセージが受信された場合、前記チャットルームに対するメッセージ受信通知がオフ（ｏｆｆ）状態に設定されている場合であっても、前記受信されたメッセージに対しては通知を提供してよい。
【００１６】
また他の側面によると、前記方法は、前記少なくとも１つのプロセッサにより、前記チャットルームに受信されたメッセージのうちで前記コンテンツ作成者のメッセージをアーカイビング（ａｒｃｈｉｖｉｎｇ）し、前記ユーザからの要求時に、前記アーカイビングされたメッセージを個別のページで提供する段階をさらに含んでよい。
【００１７】
また他の側面によると、前記方法は、前記少なくとも１つのプロセッサにより、前記コンテンツ作成者が含まれるか前記コンテンツ作成者が管理している他のチャットルームを勧める段階をさらに含んでよい。
【００１８】
さらに他の側面によると、前記方法は、前記少なくとも１つのプロセッサにより、前記ユーザが含まれたチャットルームにおいて、他のユーザによって一定の回数以上がピックされた他のコンテンツ作成者を勧める段階をさらに含んでよい。
【００１９】
前記方法を前記コンピュータシステムに実行させるために非一時的なコンピュータ読み取り可能な記録媒体に記録される、コンピュータプログラムを提供する。
【００２０】
コンピュータシステムであって、メモリに含まれるコンピュータ読み取り可能な命令を実行するように構成された少なくとも１つのプロセッサを含み、前記少なくとも１つのプロセッサは、チャットルームに含まれた会話相手のうち、前記コンピュータシステムのユーザによって特定された少なくとも１人のコンテンツ作成者をピックするコンテンツ作成者選択部、および前記チャットルームに含まれたメッセージのうち、前記コンテンツ作成者のメッセージを検索するインタフェースを提供するメッセージ提供部を備える、コンピュータシステムを提供する。
【図面の簡単な説明】
【００２１】
【図１】本発明の一実施形態における、ネットワーク環境の例を示した図である。
【図２】本発明の一実施形態における、電子機器およびサーバの内部構成を説明するためのブロック図である。
【図３】本発明の一実施形態における、電子機器のプロセッサが含むことのできる構成要素の例を示した図である。
【図４】本発明の一実施形態における、電子機器が実行することのできる方法の例を示したフローチャートである。
【図５】本発明の一実施形態における、コンテンツ作成者をピックする過程の一例を説明するための例示図である。
【図６】本発明の一実施形態における、コンテンツ作成者をピックする過程の一例を説明するための例示図である。
【図７】本発明の一実施形態における、ユーザがピックしたコンテンツ作成者のメッセージを検索する過程の一例を説明するための例示図である。
【図８】本発明の一実施形態における、ユーザがピックしたコンテンツ作成者のメッセージを検索する過程の一例を説明するための例示図である。
【図９】本発明の一実施形態における、ユーザがピックしたコンテンツ作成者のメッセージに対して受信通知を提供する過程の一例を説明するための例示図である。
【図１０】本発明の一実施形態における、ユーザがピックしたコンテンツ作成者のメッセージを一括表示する過程の一例を説明するための例示図である。
【図１１】本発明の一実施形態における、ユーザがピックしたコンテンツ作成者のメッセージを一括表示する過程の一例を説明するための例示図である。
【発明を実施するための形態】
【００２２】
以下、本発明の実施形態について、添付の図面を参照しながら詳細に説明する。
【００２３】
本発明の実施形態は、チャットルーム内のメッセージを管理する技術に関する。
【００２４】
本明細書で具体的に開示される事項を含む実施形態は、チャットルームに含まれた会話相手のうちからお気に入りのコンテンツ作成者をピックする機能を提供することができ、これにより、ユーザがピックしたコンテンツ作成者が生成したメッセージを選別して受信通知、一括表示機能、検索機能を効率的に提供することができる。
【００２５】
図１は、本発明の一実施形態における、ネットワーク環境の例を示した図である。図１のネットワーク環境は、複数の電子機器１１０、１２０、１３０、１４０、複数のサーバ１５０、１６０、およびネットワーク１７０を含む例を示している。このような図１は、発明の説明のための一例に過ぎず、電子機器の数やサーバの数が図１のように限定されることはない。
【００２６】
複数の電子機器１１０、１２０、１３０、１４０は、コンピュータシステムによって実現される固定端末や移動端末であってよい。複数の電子機器１１０、１２０、１３０、１４０の例としては、スマートフォン、携帯電話、ナビゲーション、ＰＣ（ｐｅｒｓｏｎａｌ  ｃｏｍｐｕｔｅｒ）、ノート型ＰＣ、デジタル放送用端末、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）、タブレット、ゲームコンソール、ウェアラブルデバイス、ＩｏＴ（ｉｎｔｅｒｎｅｔ  ｏｆ  ｔｈｉｎｇｓ）デバイス、ＶＲ（ｖｉｒｔｕａｌ  ｒｅａｌｉｔｙ）デバイス、ＡＲ（ａｕｇｍｅｎｔｅｄ  ｒｅａｌｉｔｙ）デバイスなどがある。一例として、図１では、電子機器１１０の例としてスマートフォンを示しているが、本発明の実施形態において、電子機器１１０は、実質的に無線または有線通信方式を利用し、ネットワーク１７０を介して他の電子機器１２０、１３０、１４０および／またはサーバ１５０、１６０と通信することのできる多様な物理的なコンピュータシステムのうちの１つを意味してよい。
【００２７】
通信方式が限定されることはなく、ネットワーク１７０が含むことのできる通信網（一例として、移動通信網、有線インターネット、無線インターネット、放送網、衛星網など）を利用する通信方式だけではなく、機器間の近距離無線通信が含まれてもよい。例えば、ネットワーク１７０は、ＰＡＮ（ｐｅｒｓｏｎａｌ  ａｒｅａ  ｎｅｔｗｏｒｋ）、ＬＡＮ（ｌｏｃａｌ  ａｒｅａ  ｎｅｔｗｏｒｋ）、ＣＡＮ（ｃａｍｐｕｓ  ａｒｅａ  ｎｅｔｗｏｒｋ）、ＭＡＮ（ｍｅｔｒｏｐｏｌｉｔａｎ  ａｒｅａ  ｎｅｔｗｏｒｋ）、ＷＡＮ（ｗｉｄｅ  ａｒｅａ  ｎｅｔｗｏｒｋ）、ＢＢＮ（ｂｒｏａｄｂａｎｄ  ｎｅｔｗｏｒｋ）、インターネットなどのネットワークのうちの１つ以上の任意のネットワークを含んでよい。さらに、ネットワーク１７０は、バスネットワーク、スターネットワーク、リングネットワーク、メッシュネットワーク、スター−バスネットワーク、ツリーまたは階層的ネットワークなどを含むネットワークトポロジのうちの任意の１つ以上を含んでもよいが、これらに限定されることはない。
【００２８】
サーバ１５０、１６０それぞれは、複数の電子機器１１０、１２０、１３０、１４０とネットワーク１７０を介して通信して命令、コード、ファイル、コンテンツ、サービスなどを提供する１つ以上のコンピュータ装置によって実現されてよい。例えば、サーバ１５０は、ネットワーク１７０を介して接続した複数の電子機器１１０、１２０、１３０、１４０に第１サービスを提供するシステムであってよく、サーバ１６０も、ネットワーク１７０を介して接続した複数の電子機器１１０、１２０、１３０、１４０に第２サービスを提供するシステムであってよい。より具体的な例として、サーバ１５０は、複数の電子機器１１０、１２０、１３０、１４０においてインストールされて実行されるコンピュータプログラムであるアプリケーションを通じ、該当のアプリケーションが目的とするサービス（一例として、メッセージングサービスなど）を第１サービスとして複数の電子機器１１０、１２０、１３０、１４０に提供してよい。他の例として、サーバ１６０は、上述したアプリケーションのインストールおよび実行のためのファイルを複数の電子機器１１０、１２０、１３０、１４０に配布するサービスを第２サービスとして提供してよい。
【００２９】
図２は、本発明の一実施形態における、電子機器およびサーバの内部構成を説明するためのブロック図である。図２では、電子機器に対する例として電子機器１１０の内部構成およびサーバ１５０の内部構成について説明する。また、他の電子機器１２０、１３０、１４０やサーバ１６０も、上述した電子機器１１０またはサーバ１５０と同一または類似の内部構成を有してよい。
【００３０】
電子機器１１０およびサーバ１５０は、メモリ２１１、２２１、プロセッサ２１２、２２２、通信モジュール２１３、２２３、および入力／出力インタフェース２１４、２２４を含んでよい。メモリ２１１、２２１は、非一時的なコンピュータ読み取り可能な記録媒体であって、ＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）、ディスクドライブ、ＳＳＤ（ｓｏｌｉｄ  ｓｔａｔｅ  ｄｒｉｖｅ）、フラッシュメモリ（ｆｌａｓｈ  ｍｅｍｏｒｙ）などのような永続的大容量記録装置を含んでよい。ここで、ＲＯＭ、ＳＳＤ、フラッシュメモリ、ディスクドライブのような永続的大容量記録装置は、メモリ２１１、２２１とは区分される別の永続的記録装置として電子機器１１０やサーバ１５０に含まれてもよい。また、メモリ２１１、２２１には、オペレーティングシステムと、少なくとも１つのプログラムコード（一例として、電子機器１１０においてインストールされて実行されるブラウザや、特定のサービスの提供のために電子機器１１０にインストールされるアプリケーションなどのためのコード）が記録されてよい。このようなソフトウェア構成要素は、メモリ２１１、２２１とは別のコンピュータ読み取り可能な記録媒体からロードされてよい。このような別のコンピュータ読み取り可能な記録媒体は、フロッピー（登録商標）ドライブ、ディスク、テープ、ＤＶＤ／ＣＤ−ＲＯＭドライブ、メモリカードなどのコンピュータ読み取り可能な記録媒体を含んでよい。他の実施形態において、ソフトウェア構成要素は、コンピュータ読み取り可能な記録媒体ではない通信モジュール２１３、２２３を通じてメモリ２１１、２２１にロードされてもよい。例えば、少なくとも１つのプログラムは、開発者またはアプリケーションのインストールファイルを配布するファイル配布システム（一例として、上述したサーバ１６０）がネットワーク１７０を介して提供するファイルによってインストールされるコンピュータプログラム（一例として、上述したアプリケーション）に基づいてメモリ２１１、２２１にロードされてよい。
【００３１】
プロセッサ２１２、２２２は、基本的な算術、ロジック、および入出力演算を実行することにより、コンピュータプログラムの命令を処理するように構成されてよい。命令は、メモリ２１１、２２１または通信モジュール２１３、２２３によって、プロセッサ２１２、２２２に提供されてよい。例えば、プロセッサ２１２、２２２は、メモリ２１１、２２１のような記録装置に記録されたプログラムコードにしたがって受信される命令を実行するように構成されてよい。
【００３２】
通信モジュール２１３、２２３は、ネットワーク１７０を介して電子機器１１０とサーバ１５０とが互いに通信するための機能を提供してもよいし、電子機器１１０および／またはサーバ１５０が他の電子機器（一例として、電子機器１２０）または他のサーバ（一例として、サーバ１６０）と通信するための機能を提供してもよい。一例として、電子機器１１０のプロセッサ２１２がメモリ２１１のような記録装置に記録されたプログラムコードにしたがって生成した要求が、通信モジュール２１３の制御にしたがってネットワーク１７０を介してサーバ１５０に伝達されてよい。これとは逆に、サーバ１５０のプロセッサ２２２の制御にしたがって提供される制御信号や命令、コンテンツ、ファイルなどが、通信モジュール２２３とネットワーク１７０を経て電子機器１１０の通信モジュール２１３を通じて電子機器１１０に受信されてよい。例えば、通信モジュール２１３を通じて受信されたサーバ１５０の制御信号や命令、コンテンツ、ファイルなどは、プロセッサ２１２やメモリ２１１に伝達されてよく、コンテンツやファイルなどは、電子機器１１０がさらに含むことのできる記録媒体（上述した永続的記録装置）に記録されてよい。
【００３３】
入力／出力インタフェース２１４は、入力／出力装置２１５とのインタフェースのための手段であってよい。例えば、入力装置は、キーボード、マウス、マイクロフォン、カメラなどの装置を、出力装置は、ディスプレイ、スピーカ、触覚フィードバックデバイスなどのような装置を含んでよい。他の例として、入力／出力インタフェース２１４は、タッチスクリーンのように入力と出力のための機能が１つに統合された装置とのインタフェースのための手段であってもよい。入力／出力装置２１５は、電子機器１１０と１つの装置で構成されてもよい。また、サーバ１５０の入力／出力インタフェース２２４は、サーバ１５０に接続するかサーバ１５０が含むことのできる入力または出力のための装置（図示せず）とのインタフェースのための手段であってよい。より具体的な例として、電子機器１１０のプロセッサ２１２がメモリ２１１にロードされたコンピュータプログラムの命令を処理するにあたり、サーバ１５０や電子機器１２０が提供するデータを利用して構成されるサービス画面やコンテンツが、入力／出力インタフェース２１４を通じてディスプレイに表示されてよい。
【００３４】
また、他の実施形態において、電子機器１１０およびサーバ１５０は、図２の構成要素よりも多くの構成要素を含んでもよい。しかし、大部分の従来技術的構成要素を明確に図に示す必要はない。例えば、電子機器１１０は、上述した入力／出力装置２１５のうちの少なくとも一部を含むように実現されてもよいし、トランシーバ、ＧＰＳ（Ｇｌｏｂａｌ  Ｐｏｓｉｔｉｏｎｉｎｇ  Ｓｙｓｔｅｍ）モジュール、カメラ、各種センサ、データベースなどのような他の構成要素をさらに含んでもよい。より具体的な例として、電子機器１１０がスマートフォンである場合、一般的にスマートフォンが含んでいる加速度センサやジャイロセンサ、カメラモジュール、物理的な各種ボタン、タッチパネルを利用したボタン、入力／出力ポート、振動のための振動器などのような多様な構成要素が、電子機器１１０にさらに含まれるように実現されてよい。
【００３５】
以下、チャットルームでコンテンツ作成者をピックすることのできる方法およびシステムの具体的な実施形態について説明する。
【００３６】
本明細書において、チャットルームとは、メッセンジャーやＳＮＳ（ｓｏｃｉａｌ  ｎｅｔｗｏｒｋ  ｓｅｒｖｉｃｅ）においてユーザ同士がメッセージをやり取りすることのできるチャット機能のインタフェース画面を意味してよく、特に、電話番号やＩＤなどを用い、友だち追加をしなくてもＵＲＬのようなリンクを介して直ぐにチャットが可能なオープンチャット機能を有したチャットルームであってよい。オープンチャットリンクは、リンクがクリックされたときに直ぐにチャットが行えるようにメッセンジャーが自動実行されて該当のリンクのチャットルームが実行される機能を含んでよい。
【００３７】
以下では、メッセンジャーのオープンチャットルームを具体的な実施形態として説明するが、これに限定されることはなく、リンクはもちろん、ユーザのアカウントや電話番号などを基準として複数のユーザが参加することができ、新たな参加を随時発生させることのできるサービスの会話基盤インタフェースであれば、すべて適用が可能である。
【００３８】
図３は、本発明の一実施形態における、電子機器のプロセッサが含むことのできる構成要素の例を示したブロック図であり、図４は、本発明の一実施形態における、電子機器が実行することのできる方法の例を示したフローチャートである。
【００３９】
本実施形態に係る電子機器１１０には、コンピュータで実現されるメッセージ管理システムが構成されてよい。一例として、メッセージ管理システムは、独立的に動作するプログラム形態で実現されても、あるいは特定のアプリケーションのイン−アプリ（ｉｎ−ａｐｐ）形態で構成され、前記特定のアプリケーション上で動作が可能なように実現されてもよく、場合によっては、サーバ１５０との連動によってメッセージングサービスが提供されてもよい。
【００４０】
電子機器１１０にインストールされたアプリケーションが提供する命令に基づき、電子機器１１０に実現されたメッセージ管理システムは、図４に示したメッセージ管理方法を実行してよい。
【００４１】
図４に係るメッセージ管理方法を実行するために、電子機器１１０のプロセッサ２１２は、構成要素として、図３に示すように、コンテンツ作成者選択部３１０、メッセージ提供部３２０、および推薦部３３０を備えてよい。実施形態によって、プロセッサ２１２の構成要素は、選択的にプロセッサ２１２に含まれても除外されてもよい。また、実施形態によって、プロセッサ２１２の構成要素は、プロセッサ２１２の機能の表現のために分離されても併合されてもよい。
【００４２】
このようなプロセッサ２１２およびプロセッサ２１２の構成要素は、図４のメッセージ管理方法が含む段階４１０〜４４０を実行するように電子機器１１０を制御してよい。例えば、プロセッサ２１２およびプロセッサ２１２の構成要素は、メモリ２１１が含むオペレーティングシステムのコードと、少なくとも１つのプログラムのコードとによる命令（ｉｎｓｔｒｕｃｔｉｏｎ）を実行するように実現されてよい。
【００４３】
ここで、プロセッサ２１２の構成要素は、電子機器１１０に記録されたプログラムコードが提供する命令（一例として、電子機器１１０で実行されるアプリケーションが提供する命令）にしたがってプロセッサ２１２によって実行される、プロセッサ２１２の互いに異なる機能（ｄｉｆｆｅｒｅｎｔ  ｆｕｎｃｔｉｏｎｓ）の表現であってよい。例えば、電子機器１１０がユーザによって特定されたコンテンツ作成者をピックするように上述した命令にしたがって電子機器１１０を制御するプロセッサ２１２の機能的表現として、コンテンツ作成者選択部３１０が利用されてよい。
【００４４】
段階４１０で、プロセッサ２１２は、電子機器１１０の制御と関連する命令がロードされたメモリ２１１から必要な命令を読み取ってよい。この場合、前記読み取られた命令は、以下で説明する段階４２０〜４４０をプロセッサ２１２が実行するように制御するための命令を含んでよい。
【００４５】
段階４２０で、コンテンツ作成者選択部３１０は、電子機器１１０にインストールされたメッセンジャーのチャットルームにおいて、電子機器１１０のユーザによって特定されたコンテンツ作成者をピックしてよい。ここで、コンテンツ作成者とは、チャットルームに含まれた会話相手を意味するものであり、メッセージの類型としてテキスト、イメージ、動画などのような各種コンテンツを、チャットルームを通じてやり取りする主体を意味してよい。電子機器１１０にインストールされたメッセンジャーにおいてユーザが含まれた各チャットルームには、該当のチャットルームでメッセージをやり取りするコンテンツ作成者のうち、１人以上のコンテンツ作成者をピックすることのできる機能が含まれる。言い換えれば、ユーザは、チャットルームに含まれたコンテンツ作成者のうち、ユーザにとって有意であるか気に入ったコンテンツを主に提供する特定のコンテンツ作成者をピックすることができる。このとき、コンテンツ作成者選択部３１０は、各チャットルーム別にユーザがピックした特定のコンテンツ作成者に関する情報を、該当のチャットルームと関連付けて記録して維持してよい。
【００４６】
段階４３０で、メッセージ提供部３２０は、各チャットルームと関連し、ユーザがピックしたコンテンツ作成者に関する情報に基づいてチャットルームに含まれたメッセージを管理してよく、特に、電子機器１１０のユーザの要求に対する応答として、チャットルームに含まれたメッセージのうち、該当のチャットルームでユーザがピックした特定のコンテンツ作成者によって生成されたメッセージを提供してよい。メッセージ提供部３２０は、チャットルームに含まれたメッセージのうち、該当のチャットルームでユーザがピックした特定のコンテンツ作成者のメッセージに対してのみ、受信通知、一括表示機能、検索機能を提供してよい。一例として、メッセージ提供部３２０は、チャットルームに受信されたメッセージのうち、特定のコンテンツ作成者のメッセージに対してのみ受信通知を提供してよい。例えば、チャットルームのメッセージ受信通知がオフ（ｏｆｆ）状態に設定されている場合は、該当のチャットルームにメッセージが受信されても受信通知は出力されないが、ユーザがピックしたコンテンツ作成者のメッセージに対しては、例外的に受信通知を出力してよい。他の例として、メッセージ提供部３２０は、チャットルームに受信されたメッセージのうち、ユーザがピックした特定のコンテンツ作成者のメッセージをアーカイビング（ａｒｃｈｉｖｉｎｇ）し、ユーザからの要求時に、一括表示機能によってアーカイビングされたメッセージを個別のページで提供してよい。言い換えれば、メッセージ提供部３２０は、チャットルームに受信されたメッセージのうち、特定のコンテンツ作成者のメッセージを個別の一括表示ページで提供することができる。また他の例として、メッセージ提供部３２０は、チャットルームに受信されたメッセージのうち、ユーザがピックした特定のコンテンツ作成者のメッセージを対象に検索機能を提供してよい。このとき、メッセージ提供部３２０は、チャットルームの画面上に、該当のチャットルームでユーザがピックした特定のコンテンツ作成者のプロフィールを表示してよく、表示されたプロフィールのうちからユーザが少なくとも１つのプロフィールを選択した場合、選択されたプロフィールに該当するコンテンツ作成者のメッセージを他のメッセージと区別して表示してよく、他のメッセージと区別して表示されたメッセージを対象に、チャットルーム内で以前または以後のメッセージ位置に移動しながら表示してよい。したがって、メッセージ提供部３２０は、チャットルームに含まれたメッセージのうち、ユーザがピックした特定のコンテンツ作成者のメッセージに限り、受信通知、一括表示機能、検索機能を提供することができる。
【００４７】
段階４４０で、推薦部３３０は、電子機器１１０のユーザに、他のチャットルームあるいは他のコンテンツ作成者を勧めてよい。一例として、推薦部３３０は、電子機器１１０のユーザがピックした特定のコンテンツ作成者に関する情報に基づき、該当のコンテンツ作成者が含まれるか直接管理している他のチャットルームを電子機器１１０のユーザに勧めてよい。オープンチャットチャットルームの場合、チャットルームを開設したユーザがこのチャットルームを運営する管理者（ａｄｍｉｎ）となり、このような管理権限は、他人に譲渡することも他人から譲受されることも可能である。推薦部３３０は、ユーザがピックしたコンテンツ作成者が単純な参加人員として活動しているチャットルーム、あるいは管理権限をもつチャットルームを勧めてよい。他の例として、推薦部３３０は、電子機器１１０のユーザが含まれたチャットルームにおいて、このチャットルーム内の他人によって一定の回数以上がピックされたコンテンツ作成者を勧めてよい。例えば、推薦部３３０は、ユーザがチャットルームで特定のコンテンツ作成者をピックしようとするとき、多数の他のユーザによってピックされたコンテンツ作成者を勧めてよい。したがって、推薦部３３０は、ユーザがピックしたコンテンツ作成者が含まれるか直接管理している他のチャットルームを勧めたり、あるいは多くの他人がピックしたコンテンツ作成者を勧めたりすることにより、オープンチャットと関連する信頼性のある推薦情報を提供することができる。
【００４８】
図５および図６は、本発明の一実施形態における、コンテンツ作成者をピックする過程の一例を説明するための例示図である。
【００４９】
プロセッサ２１２は、各チャットルームにおいて、該当のチャットルームに含まれた会話相手のうちからユーザがお気に入りの特定の会話相手、すなわち、特定のコンテンツ作成者をピックすることのできるＵＩを提供してよい。
【００５０】
図５を参照すると、プロセッサ２１２は、ユーザがチャットルーム５００内で特定のプロフィール５０１を選択した場合、このプロフィールのコンテンツ作成者に関する情報を含んだコンテンツ作成者紹介画面５１０を提供してよい。このとき、コンテンツ作成者紹介画面５１０には、該当のコンテンツ作成者によって指定された名前などを含んだプロフィール情報とともに、ユーザにとって有意であるかお気に入りのコンテンツを主に提供する特定のコンテンツ作成者をピックすることのできる「ｐｉｃｋ」メニュー５１１が含まれてよい。特に、コンテンツ作成者紹介画面５１０には、該当のコンテンツ作成者が何人の他のユーザからピックされたかを示すピック回数５１２がともに含まれてよい。ピック回数５１２とは、該当のチャットルーム５００に含まれたユーザからピックされた回数を意味してよく、実施形態によっては、オープンチャットチャットルーム全体のユーザからピックされた回数を意味してよい。
【００５１】
他の例として、図６を参照すると、プロセッサ２１２は、チャットルーム５００内におけるユーザ要求にしたがい、チャットルーム５００に参加中の会話相手リスト６２１を含んだ会話相手画面６２０を提供してよい。このとき、会話相手画面６２０には、会話相手リスト６２１に含まれた会話相手、すなわち、各コンテンツ作成者別に、コンテンツ作成者によって指定された名前などを含んだプロフィール情報とともに、ユーザにとって有意であるかお気に入りのコンテンツを主に提供する特定のコンテンツ作成者をピックすることのできる「ｐｉｃｋ」メニュー６２２が含まれてよい。また、会話相手リスト６２１に含まれた各コンテンツ作成者別に、他人によるピック回数もともに提供してよい。
【００５２】
ユーザは、上述した過程により、チャットルーム５００で自身が所望する１人以上のコンテンツ作成者をピックしてよい。
【００５３】
したがって、プロセッサ２１２は、チャットルーム５００内において、ユーザがプロフィール５０１あるいは会話相手リスト６２１を利用して特定のコンテンツ作成者をピックすることのできるＵＩ５１１、６２２を提供することができる。プロフィール５０１または会話相手リスト６２１の他にも、チャットルーム５００でユーザによってコンテンツ作成者の特定が可能なインタフェースであれば、適用可能である。
【００５４】
実施形態によっては、チャットルームを管理する管理者の設定やチャットルームに参加する個人の設定により、チャットルームに含まれた少なくとも一部のコンテンツ作成者をピック対象から除外させてもよいし、ユーザからのピックを拒絶してもよい。
【００５５】
図７および図８は、本発明の一実施形態における、ユーザがピックしたコンテンツ作成者のメッセージを検索する過程の一例を説明するための例示図である。
【００５６】
プロセッサ２１２は、チャットルームに含まれたメッセージのうち、ユーザがピックした特定のコンテンツ作成者のメッセージを検索する機能を提供してよい。
【００５７】
図７を参照すると、チャットルーム５００には、チャットルーム５００内のメッセージを検索するための検索ボタン７０３が含まれてよく、ユーザがチャットルーム５００で検索ボタン７０３を入力した場合、ユーザが入力したキーワードが含まれたメッセージを検索する第１検索インタフェース７３０と、ユーザがピックした特定のコンテンツ作成者のメッセージを検索する第２検索インタフェース７４０がアクティブ状態となってよい。
【００５８】
第２検索インタフェース７４０は、チャットルーム５００でユーザがピックしたコンテンツ作成者リスト７４１を含んでよい。このとき、コンテンツ作成者リスト７４１は、各コンテンツ作成者のプロフィールイメージで構成されてよく、単一選択あるいは複数選択が可能なインタフェースで構成されてよい。
【００５９】
図８を参照すると、プロセッサ２１２は、チャットルーム５００の画面上に第２検索インタフェース７４０としてコンテンツ作成者リスト７４１を表示してよく、ユーザがコンテンツ作成者リスト７４１から少なくとも１つのコンテンツ作成者を選択した場合、選択されたコンテンツ作成者のプロフィール８５１が、他のコンテンツ作成者と区別されるように強調して表示されてよい。さらに、プロセッサ２１２は、チャットルーム５００に含まれたメッセージのうち、コンテンツ作成者リスト７４１から選択されたコンテンツ作成者のメッセージ８６１が他のメッセージと区別されるように、文字の色、文字の大きさ、吹き出しの背景色などのようなディスプレイ要素を異なるように表示してよい。
【００６０】
プロセッサ２１２は、チャットルーム５００に含まれたメッセージのうち、コンテンツ作成者リスト７４１で選択されたコンテンツ作成者のメッセージ８６１を対象に、ユーザの要求にしたがい、チャットルーム５００の画面内で以前または以後のメッセージ位置にジャンプして移動しながら表示してよい。
【００６１】
したがって、プロセッサ２１２は、チャットルーム５００に含まれたメッセージを対象に、キーワード単位でメッセージを検索する機能はもちろん、会話相手であるコンテンツ作成者単位でメッセージを検索する機能を提供してよい。チャットルーム内で必要な情報を検索する過程において、コンテンツ作成者単位のメッセージ検索機能を利用することにより、無分別な会話や不必要な情報検索の困難を解決することができる。
【００６２】
図９は、本発明の一実施形態における、ユーザがピックしたコンテンツ作成者のメッセージに対して受信通知を提供する過程の一例を説明するための例示図である。
【００６３】
プロセッサ２１２は、チャットルームに受信されたメッセージのうち、ユーザがピックしたコンテンツ作成者のメッセージに対してのみ受信通知を提供してよい。
【００６４】
図９を参照すると、プロセッサ２１２は、チャットルーム５００におけるユーザの要求にしたがい、チャットルーム５００の画面上に通知設定画面９７０を提供してよい。通知設定画面９７０には、チャットルーム５００のメッセージ受信通知（以下、「チャットルーム通知」とする）を設定するためのインタフェース９７１が含まれてよく、チャットルーム通知をオフ（ｏｆｆ）状態に設定した場合、ユーザがピックしたコンテンツ作成者のメッセージに対する受信通知（以下、「ｐｉｃｋ通知」とする）のオン／オフを設定することのできるインタフェース９７２が追加で提供されてよい。
【００６５】
プロセッサ２１２は、ユーザが、チャットルーム通知はオフ状態に、ｐｉｃｋ通知はオン状態に設定した場合、チャットルーム５００に受信されたメッセージのうち、ユーザがピックしたコンテンツ作成者のメッセージに対してのみ受信通知を提供してよい。
【００６６】
上述したチャットルーム通知とｐｉｃｋ通知は、チャットルーム別の個別設定はもちろん、チャットルーム全体に対して一括設定することも可能である。
【００６７】
ｐｉｃｋ通知に対するオン／オフ設定インタフェース９７２を個別に提供せずに、ユーザがチャットルーム５００で特定のコンテンツ作成者をピックすること自体を、ｐｉｃｋ通知をオン状態に設定することと同じものと見なすことにより、チャットルーム通知がオフ状態に設定されていたとしても、ユーザがピックしたコンテンツ作成者が存在する場合には、該当のコンテンツ作成者のメッセージに対しては受信通知を提供してよい。
【００６８】
したがって、プロセッサ２１２は、チャットルームに受信されたメッセージのうち、ユーザがピックしたコンテンツ作成者のメッセージに対してのみ受信通知を提供してよい。これにより、不必要な情報を遮断できるようになるとともに、ユーザが必要とする情報だけを選択的に購読できるようになるという効果が得られる。
【００６９】
図１０および図１１は、本発明の一実施形態における、ユーザがピックしたコンテンツ作成者のメッセージを一括表示する過程の一例を説明するための例示図である。
【００７０】
プロセッサ２１２は、チャットルームに受信されたメッセージのうち、ユーザがピックした特定のコンテンツ作成者のメッセージをアーカイビングし、ユーザからの要求時に、一括表示機能としてアーカイビングされたメッセージを個別のページで提供してよい。
【００７１】
例えば、図１０を参照すると、プロセッサ２１２は、チャットルーム５００内において、プロフィールや会話相手リストなどを通じてユーザがピックしたコンテンツ作成者が選択された場合、コンテンツ作成者紹介画面１０８０を提供してよい。このとき、コンテンツ作成者紹介画面１０８０には、該当のコンテンツ作成者によって指定された名前などを含んだプロフィール情報とともに、該当のコンテンツ作成者のメッセージだけを個別の一括表示ページで提供するための「一括表示」メニュー１０８１が含まれてよい。
【００７２】
プロセッサ２１２は、ユーザが「一括表示」メニュー１０８１を選択した場合、ユーザがピックしたコンテンツ作成者のメッセージだけで構成される、一括表示ページ１０００を提供してよい。一括表示ページ１０００で特定のメッセージが選択された場合、該当のメッセージが含まれたチャットルームに移動し、選択されたメッセージの位置に自動スクロールされてよい。
【００７３】
プロセッサ２１２は、ユーザがピックしたコンテンツ作成者が複数人である場合、コンテンツ作成者ごとに該当のコンテンツ作成者のメッセージをアーカイビングしてよく、図１１に示すように、一括表示ページ１１００を複数のタブページで区分し、コンテンツ作成者別のメッセージを各タブで表示してよい。
【００７４】
したがって、プロセッサ２１２は、ユーザがピックしたコンテンツ作成者のメッセージだけを集め、個別のページで提供することができる。
【００７５】
このように、本発明の実施形態によると、チャットルーム内において、ユーザにとって有意であるかお気に入りのコンテンツを主に提供する特定のコンテンツ作成者をピックすることができ、ユーザがピックしたコンテンツ作成者のメッセージを対象に、受信通知、一括表示機能、検索機能を提供することができる。
【００７６】
本発明の実施形態によると、チャットルームに含まれたコンテンツ作成者のうち、気に入ったコンテンツ作成者をピック（ｐｉｃｋ）することができる。
【００７７】
また、本発明の実施形態によると、チャットルームに受信されたメッセージのうち、ユーザがピックしたコンテンツ作成者のメッセージに対してのみ通知を提供することができる。
【００７８】
また、本発明の実施形態によると、チャットルームに受信されたメッセージのうち、ユーザがピックしたコンテンツ作成者のメッセージに対して一括表示を提供することができる。
【００７９】
また、本発明の実施形態によると、チャットルームに含まれたメッセージのうち、ユーザがピックしたコンテンツ作成者のメッセージだけを検索することができる。
【００８０】
また、本発明の実施形態によると、ユーザがピックしたコンテンツ作成者に関連する情報に基づき、ユーザに他のチャットルームを勧めることができる。
【００８１】
また、本発明の実施形態によると、他人によるピック回数に基づき、ユーザに他のコンテンツ作成者を勧めることができる。
【００８２】
上述した装置は、ハードウェア構成要素、ソフトウェア構成要素、および／またはハードウェア構成要素とソフトウェア構成要素との組み合わせによって実現されてよい。例えば、実施形態で説明された装置および構成要素は、プロセッサ、コントローラ、ＡＬＵ（ａｒｉｔｈｍｅｔｉｃ  ｌｏｇｉｃ  ｕｎｉｔ）、デジタル信号プロセッサ、マイクロコンピュータ、ＦＰＧＡ（ｆｉｅｌｄ  ｐｒｏｇｒａｍｍａｂｌｅ  ｇａｔｅ  ａｒｒａｙ）、ＰＬＵ（ｐｒｏｇｒａｍｍａｂｌｅ  ｌｏｇｉｃ  ｕｎｉｔ）、マイクロプロセッサ、または命令を実行して応答することができる様々な装置のように、１つ以上の汎用コンピュータまたは特殊目的コンピュータを利用して実現されてよい。処理装置は、オペレーティングシステム（ＯＳ）およびＯＳ上で実行される１つ以上のソフトウェアアプリケーションを実行してよい。また、処理装置は、ソフトウェアの実行に応答し、データにアクセスし、データを記録、操作、処理、および生成してもよい。理解の便宜のために、１つの処理装置が使用されるとして説明される場合もあるが、当業者は、処理装置が複数個の処理要素および／または複数種類の処理要素を含んでもよいことが理解できるであろう。例えば、処理装置は、複数個のプロセッサまたは１つのプロセッサおよび１つのコントローラを含んでよい。また、並列プロセッサのような、他の処理構成も可能である。
【００８３】
ソフトウェアは、コンピュータプログラム、コード、命令、またはこれらのうちの１つ以上の組み合わせを含んでもよく、思うままに動作するように処理装置を構成したり、独立的または集合的に処理装置に命令したりしてよい。ソフトウェアおよび／またはデータは、処理装置に基づいて解釈されたり、処理装置に命令またはデータを提供したりするために、いかなる種類の機械、コンポーネント、物理装置、コンピュータ記録媒体または装置に具現化されてよい。ソフトウェアは、ネットワークによって接続されたコンピュータシステム上に分散され、分散された状態で記録されても実行されてもよい。ソフトウェアおよびデータは、１つ以上のコンピュータ読み取り可能な記録媒体に記録されてよい。
【００８４】
実施形態に係る方法は、多様なコンピュータ手段によって実行可能なプログラム命令の形態で実現されてコンピュータ読み取り可能な媒体に記録されてよい。ここで、媒体は、コンピュータ実行可能なプログラムを継続して記録するものであっても、実行またはダウンロードのために一時記録するものであってもよい。また、媒体は、単一または複数のハードウェアが結合した形態の多様な記録手段または格納手段であってよく、あるコンピュータシステムに直接接続する媒体に限定されることはなく、ネットワーク上に分散して存在するものであってもよい。媒体の例は、ハードディスク、フロッピー（登録商標）ディスク、および磁気テープのような磁気媒体、ＣＤ−ＲＯＭおよびＤＶＤのような光媒体、フロプティカルディスク（ｆｌｏｐｔｉｃａｌ  ｄｉｓｋ）のような光磁気媒体、およびＲＯＭ、ＲＡＭ、フラッシュメモリなどを含み、プログラム命令が記録されるように構成されたものであってよい。また、媒体の他の例として、アプリケーションを配布するアプリケーションストアやその他の多様なソフトウェアを供給または配布するサイト、サーバなどで管理する記録媒体または格納媒体が挙げられる。
【００８５】
以上のように、実施形態を、限定された実施形態および図面に基づいて説明したが、当業者であれば、上述した記載から多様な修正および変形が可能であろう。例えば、説明された技術が、説明された方法とは異なる順序で実行されたり、かつ／あるいは、説明されたシステム、構造、装置、回路などの構成要素が、説明された方法とは異なる形態で結合されたりまたは組み合わされたり、他の構成要素または均等物によって対置されたり置換されたとしても、適切な結果を達成することができる。
【００８６】
したがって、異なる実施形態であっても、特許請求の範囲と均等なものであれば、添付される特許請求の範囲に属する。
【符号の説明】
【００８７】
２１２：プロセッサ
３１０：コンテンツ作成者選択部
３２０：メッセージ提供部
３３０：推薦部
【図１】
2020198101.tif 000003
【図２】
2020198101.tif 000004
【図３】
2020198101.tif 000005
【図４】
2020198101.tif 000006
【図５】
2020198101.tif 000007
【図６】
2020198101.tif 000008
【図７】
2020198101.tif 000009
【図８】
2020198101.tif 000010
【図９】
2020198101.tif 000011
【図１０】
2020198101.tif 000012
【図１１】
2020198101.tif 000013